(57)【特許請求の範囲】
【請求項１】
卵からふ化した仔魚を育成するために、水槽内に積層配置される仔魚育成材であって、
内部が仔魚の育成空間となる筒状体であり、
該筒状体の上半部は設定された大きさの開口を有する窓部を備え、前記筒状体の下半部は設定された大きさの網目を有する網部を備え、前記窓部の開口の大きさを前記網部の網目の大きさより大きくしたことを特徴とする仔魚育成材。
【請求項２】
前記窓部の開口の大きさは、仔魚の出入りが規制されない大きさであり、前記網部の網目の大きさは、仔魚の出入りが規制される大きさであることを特徴とする請求項１記載の仔魚育成材。
【請求項３】
前記窓部の開口は、前記筒状体の長手方向に沿う横枠と前記筒状体の周方向に沿って設定間隔で複数設けられる縦枠によって区画されていることを特徴とする請求項１記載の仔魚育成材。
【請求項４】
前記筒状体の内部に、当該筒状体の内部空間を仕切る板状の仕切り体を設けていることを特徴とする請求項１又は２記載の仔魚育成材。
【請求項５】
前記仕切り体は、前記筒状体の長手方向に沿って延設され、前記筒状体の中心軸周りにねじれた仕切り面を有することを特徴とする請求項４記載の仔魚育成材。
【請求項６】
前記仕切り体は、前記筒状体の長手方向に沿って設定間隔毎に配置され、前記筒状体の長手方向に交差する仕切り面を有することを特徴とする請求項４記載の仔魚育成材。
【請求項７】
請求項１〜６のいずれかに記載された仔魚育成材が水槽内に積層配置された浮上槽。
【請求項８】
前記水槽内に、左右一対の堰板を取り外し自在に設け、
該堰板間に前記仔魚育成材を配列且つ積層し、
前記仔魚育成材は、前記左右一対の堰板の対向する方向に沿って前記筒状体の長手方向が配置され、
前記水槽の底面に設けた給水口から該水槽内に水を供給することで、前記仔魚育成材の下方から上方に向けて水を流し、前記左右一対の堰板を越して排水を行うことを特徴とする請求項７記載の浮上槽。
【発明の詳細な説明】
【技術分野】
【０００１】
本発明は、サケ・マス類などの増殖において仔魚の育成に用いられる仔魚育成材及びその仔魚育成材を用いた浮上槽に関するものである。
【背景技術】
【０００２】
サケ・マス類などの回遊魚の人工増殖では、発眼卵をふ化器でふ化させ、ふ化した仔魚を養魚池に移して育成する方法が古くから行われている。その一方で、一つの水槽内で発眼卵のふ化から、仔魚の育成、浮上までを行う浮上槽と呼ばれる設備が普及している。この浮上槽を用いると、養魚池のような広いスペースが不要になり、ふ化から仔魚の管理までをより簡便に行うことが可能になる。
【０００３】
ここで、「仔魚」とは、ふ化したばかりで「さいのう」と呼ばれる栄養分を貯めた袋を持った生育段階の魚を指す。仔魚は餌をとらず、さいのう内の栄養分だけで成長するので、殆ど動くことなく成長する。さいのうの栄養分を消費し尽くして餌を探すために動き回る状態を「浮上」といい、それ以後の生育段階は仔魚と区別して「稚魚」と呼ばれる。
【０００４】
従来の浮上槽は、仔魚の育成空間を確保するために水槽内にネットリングと呼ばれる育成材を配置している。ネットリングは網材で形成された円筒状の部材であり、これを水槽内に複数個配列及び積層して仔魚の育成空間を形成している。
【０００５】
また、従来の浮上槽は、ネットリングの上にふ化前の発眼卵を載置する関係上、ネットリングの下から水が供給され、積層されたネットリングの下から上に向けて水が流れる構造になっている（下記特許文献１参照）。
【先行技術文献】
【特許文献】
【０００６】
【特許文献１】実公平４−６５４４号公報
【発明の概要】
【発明が解決しようとする課題】
【０００７】
従来の浮上槽で用いられているネットリングは、網目の大きさがほぼ均一であり、その大きさは仔魚が縦に向くと出入りすることができ、仔魚が横に向くと出入りが規制される大きさになっている。このようなネットリングを水槽内に積層配置すると、ふ化した仔魚は、水の流れの上流側に頭を向けて酸素を取り入れようとするので、ネットリングの下から上に水が流れている状況ではより下のネットリングに仔魚が集まる現象が生じる。この現象が過剰に進行すると、下層のネットリングに仔魚が密集することになり、密集した仔魚で水の流れが止められてしまうので、多くの仔魚に十分な酸素を与えることができなくなる問題が生じる。
【０００８】
ネットリングの網目を小さくすることで、仔魚の下層への移動を抑制することはできるが、網目が小さいと、成長後に浮上槽の水槽から魚を移動させる際に、ネットリング内に居る魚を外に取り出し難くなる。また、ネットリングを水槽から取り上げて、強制的にネットリングの中から魚を追い出そうとすると、ネットリングの網目によって魚が傷付き易くなる問題が生じる。
【０００９】
本発明は、このような問題に対処することを課題の一例とするものである。すなわち、水槽の下層に仔魚が密集することで、仔魚の育成環境が悪化するのを抑止すること、浮上時に魚を傷付けることなく水槽から魚を移動させることができること、等が本発明の目的である。
【課題を解決するための手段】
【００１０】
このような目的を達成するために、本発明は、以下の構成を少なくとも具備するものである。
【００１１】
卵からふ化した仔魚を育成するために、水槽内に積層配置される仔魚育成材であって、内部が仔魚の育成空間となる筒状体であり、該筒状体の上半部は設定された大きさの開口を有する窓部を備え、前記筒状体の下半部は設定された大きさの網目を有する網部を備え、前記窓部の開口の大きさを前記網部の網目の大きさより大きくしたことを特徴とする。
【００１２】
このような仔魚育成材を用いた浮上槽であって、前記水槽内に、左右一対の堰板を取り外し自在に設け、該堰板間に前記仔魚育成材を配列且つ積層し、前記仔魚育成材は、前記左右一対の堰板の対向する方向に沿って前記筒状体の長手方向が配置され、前記水槽の底面に設けた給水口から該水槽内に水を供給することで、前記仔魚育成材の下方から上方に向けて水を流し、前記左右一対の堰板を越して排水を行うことを特徴とする。
【発明の効果】
【００１３】
このような特徴を有する仔魚育成材によると、ふ化した仔魚は、筒状体の上半部に設けた窓部の開口から筒状体内に入ることになるが、筒状体の下半部の網部に収まった仔魚はそこから下の層に移動することが規制される。これによって、積層された仔魚育成材の上層から順次筒状体内に仔魚が収まり、上層の筒状体で溢れた仔魚が窓部の開口から出て下層の筒状体内に収まることになり、積層された仔魚育成材の上層から下層に亘ってほぼ均等に仔魚を分配させることが可能になる。これにより、水槽の下層に仔魚が密集して仔魚の育成環境が悪化するのを抑止することができる。
【００１４】
また、浮上時には、筒状体内に居た魚は比較的大きい窓部の開口から外に出て行くので、仔魚育成材から魚を簡易に取り出すことができる。
【００１５】
更に、前述した特徴を有する浮上槽によると、浮上時には、左右一対の堰板を取り外すことで、水槽内の排水スペースに筒状体内の魚（稚魚）が泳ぎ出て、排水経路を利用して魚を移動させることが可能になる。これによって、仔魚育成材から強制的に魚を追い出さなくても魚を移動させることができ、魚を傷付けることなく水槽から魚を他の施設に移動させることができる。
【図面の簡単な説明】
【００１６】
【図１】本発明の一実施形態に係る仔魚育成材を示した説明図（同図（ａ）が拡大斜視図、同図（ｂ）が全体側面図）である。
【図２】本発明の一実施形態に係る仔魚育成材の機能を説明する説明図である。
【図３】本発明の実施形態に係る仔魚育成材の他の形態例を示した説明図である。
【図４】本発明の実施形態に係る浮上槽を示した説明図（同図（ａ）が平面視の説明図、同図（ｂ）がＸ１−Ｘ１断面図、同図（ｃ）がＸ２−Ｘ２断面図）である。
【発明を実施するための形態】
【００１７】
以下、図面を参照しながら本発明の実施形態を説明する。図１は本発明の一実施形態に係る仔魚育成材を示した説明図（同図（ａ）が拡大斜視図、同図（ｂ）が全体側面図）である。本発明の実施形態に係る仔魚育成材１は、内部が仔魚の育成空間となる筒状体１０であり、筒状体１０の上半部１０Ａは、設定された大きさの開口１１Ａを有する窓部１１を備え、筒状体１０の下半部１０Ｂは設定された大きさの網目１２Ａを有する網部１２を備えている。図示の例では筒状体１０は円筒状の部材であるが、これに限らず角筒状などであってもよい。また、図示の例では、窓部１１の開口１１Ａは、筒状体１０の長手方向に沿う横枠１３と筒状体１０の周方向に沿って設定間隔で複数設けられる縦枠１４によって区画されている。
【００１８】
ここで、窓部１１の開口１１Ａの大きさ（面積）は網部１２の網目１２Ａの大きさ（面積）より大きくしている。図示の例では、開口１１Ａや網目１２Ａの形状を矩形状にしているが、これに限らず円形や楕円形などであってもよい。窓部１１の開口１１Ａの大きさは、仔魚の出入りが規制されない大きさであり、網部１２の網目１２Ａの大きさは、仔魚の出入りが規制される大きさである。より具体的には、開口１１Ａの大きさは、仔魚が自由に出入りできる程度の大きさにし、網目１２Ａの大きさは、仔魚が縦向きになっても通過できない程度の大きさにする。
【００１９】
図２によって、このような構成を有する仔魚育成材の機能を説明する。この仔魚育成材１は、卵からふ化した仔魚を育成するために、水槽内に積層配置されるものであり、水槽内では仔魚育成材１の下から上に向けた水の流れＷが形成されている。ふ化した仔魚は、水槽の上方から落下して筒状体１０の上半部１０Ａに設けた窓部１１の開口１１Ａから図示の矢印Ｓ１で示すように、筒状体１０内に入る。そして、筒状体１０内の育成スペースが空いている場合には、筒状体１０の下半部１０Ｂに設けられた網部１２に仔魚が収まり、収まった仔魚はそこから下の層に移動することが規制される。また、筒状体１０内の育成スペースに仔魚が既に居る場合には、窓部１１の開口１１Ａを通って筒状体１０内に仔魚が入ったとしても、図示の矢印Ｓ２で示すように、仔魚は再び開口１１Ａを通って外に出され、矢印Ｓ３で示すように、より下層の筒状体１０における開口１１Ａから筒状体１０の中に入る。
【００２０】
このような動作が繰り返されることによって、積層された仔魚育成材１の上層から順次筒状体１０内に仔魚が収まり、上層の筒状体１０で溢れた仔魚が窓部１１の開口１１Ａから出て下層の筒状体１０内に収まることになるので、積層された仔魚育成材１の上層から下層に亘ってほぼ均等に仔魚を分配させることが可能になる。これにより、水槽の下層に仔魚が密集して仔魚の育成環境が悪化するのを抑止することができる。
【００２１】
仔魚育成材１の積層配列は、図２に示すように、一つの層に配列された２つの仔魚育成材１の間に上層の仔魚育成材１を載置するように積層することが好ましい。このように仔魚育成材１を積層することで、窓部１１から出た仔魚が下層の仔魚育成材１の窓部１１に入る移動経路を広めに確保することができる。
【００２２】
図３は、本発明の実施形態に係る仔魚育成材１の他の形態例を示した説明図である。この例では、仔魚育成材１は、筒状体１０の内部に、筒状体１０の内部空間を仕切る板状の仕切り体２０を設けている。この仕切り体２０は、同図（ａ）に示すように、筒状体１０の長手方向に沿って延設され、筒状体１０の中心軸周りにねじれた螺旋状の仕切り面２０Ａを有するものであってもよいし、同図（ｂ）に示すように、筒状体１０の長手方向に沿って設定間隔毎に配置され、筒状体１０の長手方向に交差する円盤状の仕切り面２０Ｂを有するものであってもよい。
【００２３】
このような仕切り体２０を設けることで、筒状体１０内の空間を仔魚の単体が居やすい空間に仕切ることができ、一つの筒状体１０内の特定の箇所に仔魚が集中する不具合を解消することができる。これによって、仔魚により良好な育成環境を与えることができる。仕切り体２０の形態は、図３に示した例に限らず、筒状体１０内で仔魚が分散配置されるものであればどのような形態であっても良い。
【００２４】
図４は、本発明の実施形態に係る浮上槽を示した説明図（同図（ａ）が平面視の説明図、同図（ｂ）がＸ１−Ｘ１断面図、同図（ｃ）がＸ２−Ｘ２断面図）である。浮上槽３０は前述した仔魚育成材１が水槽３１内に積層配置されたものである。水槽３１内には、左右一対の堰板３２，３２が取り外し自在に設けられている。この堰板３２，３２によって水槽３１内が仕切られており、平面的には一対の堰板３２，３２の内側がふ化・仔魚育成スペースＡになり、一対の堰板３２，３２の両外側が排水スペースＢになっている。
【００２５】
堰板３２，３２間のふ化・仔魚育成スペースＡには前述した仔魚育成材１を配列且つ積層しており、仔魚育成材１は、左右一対の堰板３２，３２の対向する方向に沿って筒状体１０の長手方向が配置されている。
【００２６】
また、一対の堰板３２，３２間に設けられるふ化・仔魚育成スペースＡは、２つのネット材３３，３４で下層スペースＣと中間層スペースＤと上層スペースＥに仕切られている。下層スペースＣが水流を整流させるスペースであり、中間層スペースＤが仔魚の育成スペースであり、上層スペースＥが発眼卵を載置するふ化スペースになっている。前述した仔魚育成材１はネット材３３，３４の間の中間層スペースＤ内で水平に配列され且つ積層されている。
【００２７】
排水スペースＢにはネット材３３とほぼ同じ高さに水勢拡散板４０が設けられ、この水勢拡散板４０に排水口３６が設けられている。この排水口３６には排水パイプ３８が接続されている。
【００２８】
水槽３１の底面には、複数の給水口３５が設けられている。この給水口３５は、水勢拡散板４０に対面するように設けられており、この給水口３５には、給水パイプ３７が接続されている。
【００２９】
浮上槽３０は、水槽３１の底面に設けた給水口３５から水槽３１内に水を供給することで、給水口３５から出た水は水勢拡散板４０に当たり水勢が拡散され、下層スペースＣで水の流れが整流されて、仔魚育成材１の下方から上方に向けて水が流れる。そして、左右一対の堰板３２，３２を越して排水が行われる。左右一対の堰板３２，３２を越して排水スペースＢに流れた水は排水口３６から排水パイプ３８に流れ込む。
【００３０】
浮上槽３０の使用方法について説明する。先ず、図４（ｂ）に示すように堰板３２，３２の上端付近までふ化・仔魚育成スペースＡ内の水位を高め、ネット材３４上に発眼卵を載せる。その後ふ化が進行し、ネット材３４を通過して全ての仔魚が中間層スペース（育成スペース）Ｄに落下すると、堰板３２，３２の上部３２Ａを取り除いて水位を下げ、ネット材３４を取り除いて、中間層スペース（育成スペース）Ｄ内に配置した仔魚育成材１内で仔魚を育成する。
【００３１】
この際、中間層スペースＤ内の水の流れは、下層スペースＣで整流された水が下から上に流れ、左右の排水スペースＢに向けて流れることになるので、中間層スペースＤの全体で比較的均一な水の流れが得られる。これによって、仔魚育成材１内の仔魚に酸素を含んだ新鮮な水を均等に供給することができる。
【００３２】
その後、魚が浮上し始めると、排水口３６に水位調整パイプ３９を取り付け、水槽３１内全体の水位を中間層スペースＤが全て浸かる水位にして、堰板３２，３２を水槽３１から取り除く。このようにすることで、仔魚育成材１内に留まっていた魚が水槽３１内の排水スペースＢに自然と移動することになり、水位調整パイプ３９の上端口から排水と共に魚が水位調整パイプ３９を経由して排水パイプ３８内に流れ込む。
【００３３】
このような浮上槽３０によると、上層から下層に亘って積層される仔魚育成材１内にはほぼ均一に仔魚が分配されることになるので、下方から供給される水が複数の仔魚育成材１内にほぼ均等に供給され、仔魚育成材１内の仔魚は良好な環境で成長することができる。
【００３４】
また、浮上時には、仔魚育成材１を取り除くことなく、成長した魚を、排水パイプ３８を通して、水槽３１から外に移動させることができる。これによって、仔魚育成材１から強制的に魚を追い出さなくても魚を移動させることができ、魚を傷付けることなく水槽３１から魚を外に移動させることができる。
【符号の説明】
【００３５】
１：仔魚育成材，１０：筒状体，１０Ａ：上半部，１０Ｂ：下半部，
１１：窓部，１１Ａ：開口，１２：網部，１２Ａ：網目，
２０：仕切り体，２０Ａ，２０Ｂ：仕切り面，
３０：浮上槽，３１：水槽，３２：堰板，３３，３４：ネット材，
３５：給水口，３６：排水口，３７：給水パイプ，３８：排水パイプ，
３９：水位調整パイプ，４０：水流拡散板
【要約】
【課題】水槽の下層に仔魚が密集することで、仔魚の育成環境が悪化するのを抑止する。
【解決手段】仔魚育成材１は、内部が仔魚の育成空間となる筒状体１０であり、筒状体１０の上半部１０Ａは設定された大きさの開口１１Ａを有する窓部１１を備え、筒状体１０の下半部１０Ｂは設定された大きさの網目１２Ａを有する網部１２を備え、窓部１１の開口１１Ａの大きさを網部１２の網目１２Ａの大きさより大きくした。
【選択図】図１【図１】
0004791608.tif 000002
【図２】
0004791608.tif 000003
【図３】
0004791608.tif 000004
【図４】
0004791608.tif 000005